(57)【要約】【課題】    安定した接触圧力で圧接することができ、試験時に外れにくい試験治具を提供する。【解決手段】    試験治具１は、端子台に装着して試験を行うためのものである。試験治具１の保持箇所を３箇所にする。端子台の導電端子の上方に設けられた突部に掛止する絶縁体の保持部７と、端子台の導電端子に圧接する導電部９と、端子台の導電端子の下方のケースに接する接触部１５である。導電部９は、弾性を有さず、別部材の板バネ１３が圧力をかける。そのため、安定した接触圧力で圧接することができる。さらに、３箇所で保持することにより、主に水平方向及び下方方向に力のかかる試験時に外れにくく、取り外し時には上方に上げればよい。【選択図】  図１
2016122527.tif 000002
【特許請求の範囲】
【請求項１】
端子台に装着して試験を行うための試験治具であって、
前記端子台の導電端子の上方に設けられた突部に掛止する絶縁体の保持部と、
前記端子台の前記導電端子に接触する導電部と、
前記導電部に圧力をかけて前記端子台の前記導電端子に圧接させる弾性部を備える試験治具。
【請求項２】
前記導電部と前記弾性部は、別部材であり、
前記導電部は、一方端が外部配線に接続可能に固定され、他方端が可動状態であって前記端子台に装着されるものであり、
前記弾性部は、前記導電部の前記一方端と前記他方端との間の位置で圧力をかける、請求項１記載の試験治具。
【請求項３】
前記端子台は、ネジアップ式端子台であり、
前記突部は、前記導電端子からアップする際、ネジを誘導するためのものであり、
前記導電部は、装着時に、前記導電端子に圧接して前記ネジには接しない、請求項１又は２に記載の試験治具。
【請求項４】
前記導電部の下側の面は、少なくとも前記他方端側で下に凸である、請求項１から３のいずれかに記載の試験治具。
【請求項５】
前記試験治具は、前記導電部の下側で装着時に前記端子台に接する接触部を有する、請求項１から４のいずれかに記載の試験治具。
【発明の詳細な説明】
【技術分野】
【０００１】
本発明は、試験治具に関し、特に、端子台に装着して試験を行うための試験治具に関する。
【背景技術】
【０００２】
特許文献１には、アップネジ式端子台のための試験配線用治具（試験配線用治具を試験治具ともいう。）が記載されている。この試験治具は、バネ性を有する試験用導電端子を有し、これを、端子台のアップしたネジの下端部と導電端子との間に挿入するものである。
【先行技術文献】
【非特許文献】
【０００３】
【特許文献１】特許第４８００３９８号公報
【発明の概要】
【発明が解決しようとする課題】
【０００４】
しかしながら、特許文献１記載の試験治具は、端子台のネジと導電端子とに接するものである。そのため、挿入時にネジの位置に注意する必要があった。さらに、挿入後の保持が不安定であった。よって、作業者は、少なくとも接触圧力のばらつきや試験治具が外れないかについて、十分に信頼することはできなかった
【０００５】
ゆえに、本発明は、安定した接触圧力で圧接することができ、試験時に外れにくい試験治具を提供することを目的とする。
【課題を解決するための手段】
【０００６】
本願発明の第１の観点は、端子台に装着して試験を行うための試験治具であって、前記端子台の導電端子の上方に設けられた突部に掛止する絶縁体の保持部と、前記端子台の前記導電端子に接触する導電部と、前記導電部に圧力をかけて前記端子台の前記導電端子に圧接させる弾性部を備えるものである。
【０００７】
本願発明の第２の観点は、第１の観点の試験治具であって、前記導電部と前記弾性部は、別部材であり、前記導電部は、一方端が外部配線に接続可能に固定され、他方端が可動状態であって前記端子台に装着されるものであり、前記弾性部は、前記導電部の前記一方端と前記他方端との間の位置で圧力をかけるものである。
【０００８】
本願発明の第３の観点は、第１又は第２の観点の試験治具であって、前記端子台は、ネジアップ式端子台であり、前記突部は、前記導電端子からアップする際、ネジを誘導するためのものであり、前記導電部は、装着時に、前記導電端子に圧接して前記ネジには接しない。
【０００９】
本願発明の第４の観点は、第１から第３のいずれかの観点の試験治具であって、前記導電部の下側の面は、少なくとも前記他方端側で下に凸である。
【００１０】
本願発明の第５の観点は、第１から第４のいずれかの観点の試験治具であって、前記試験治具は、前記導電部の下側で装着時に前記端子台に接する接触部を有する。
【発明の効果】
【００１１】
本願発明の各観点によれば、試験治具の導電部は、弾性のものではなく、別の弾性部により圧力を加えるため、接触圧力を安定させることができる。さらに、試験治具を端子台に装着するときには、試験治具の導電部を端子台の導電端子に押し付けて行えばよく、また、取り外すときには、試験治具を上向きに傾ければよい。そのため、試験治具は、端子台に容易に装着したり、端子台から容易に取り外したりすることができる。さらに、保持部が端子台の突部に掛止し、導電部が端子台の導電端子を圧接するため、試験時に少なくとも水平方向に試験治具が外れにくい構造である。
【００１２】
さらに、本願発明の第２の観点によれば、導電部を一つの部材とし、さらに、導電部は、外部配線に接続可能なネジなどにより試験治具のケースに固定されることから、部品点数を少なくして実現することができる。
【００１３】
さらに、本願発明の第３の観点は、ネジアップ式端子台のネジを利用せず、導電端子を利用して試験を行うものである。例えば特許文献１に記載されているように、ネジと導電端子の両方を利用するものとは、本質的に相違するものである。
【００１４】
さらに、本願発明の第４の観点によれば、保持部が端子台の突部に掛止した状態での回転がしやすい構造である。
【００１５】
さらに、本願発明の第５の観点によれば、試験治具は、端子台に装着された状態で、３箇所で保持されることから、試験時に水平方向に加えて下向きにも外れにくい構造である。さらに、下向きに傾けることを防止することができる。
【図面の簡単な説明】
【００１６】
【図１】本願発明に係る試験治具の構成の一例を示す図である。
【図２】試験治具１を端子台２１に装着するときの動きについて説明するための図である。
【図３】試験治具１を端子台２１に装着した状態を示す図である。
【図４】試験治具１を端子台２１から取り外すときの動きについて説明するための図である。
【図５】本願発明に係る試験治具の構成の他の一例を示す図である。
【発明を実施するための形態】
【００１７】
以下、図面を参照して、本願発明の実施例について述べる。なお、本願発明の実施の形態は、以下の実施例に限定されるものではない。
【実施例】
【００１８】
図１は、本願発明に係る試験治具の構成の一例を示す図である。（ａ）は平面図、（ｂ）は内部構造図、（ｃ）は正面図、（ｄ）は左側面図である。（ｅ）は、他の構成の一例を示す図である。
【００１９】
試験治具１は、端子台に装着して試験を行うためのものである。試験治具１は、ケース３と、カバー５と、保持部７（本願請求項の「保持部」の一例）と、試験導電端子９（本願請求項の「導電部」の一例）と、端子ネジ１１と、板バネ１３（本願請求項の「弾性部」の一例）と、接触部１５（本願請求項の「接触部」の一例）と、連結ネジ１７と、連結ネジ用穴１９を備える。
【００２０】
ケース３は、絶縁体であり、各部材を保持するためのものである。カバー５は、ケース３の一つの面を覆うためのものである。
【００２１】
保持部７は、ケース３に設けられたもので、絶縁体のものである。後に説明するように、試験治具１を端子台に装着したときに、端子台の突部に掛かかるものである。端子台から試験治具１を取り外すときには、図４にあるように、保持部７が掛止している部分を中心に上に回転させるようにする。
【００２２】
試験導電端子９は、導電体のものである。保持部７と同じ側の一方端が端子台に装着され、端子台の導電端子に接触する。試験導電端子９のこの一方端は、先端が細くなっており、下側の面が、下側に凸である。これにより、試験導電端子９を押し付けて試験治具１を装着したり、保持部７が掛止している部分を中心に回転等をして試験治具１を外したりしやすい形状にしている。また、試験導電端子９は、ケース３と試験導電端子９の嵌合部の凹凸形状により、自由に端子台に装着される側が動くことができる状態にある。他方端は、雌ネジを有し、試験導電端子９は、端子ネジ１１により外部配線に接続することができる。端子ネジ１１により、例えば圧着端子やファストン端子、隣接端子同士をショートさせるためのショートバーを締め付けることができる。なお、図１（ｅ）にあるように、ケース３の３ａ部に穴を設置し、３ａ部に円柱形状の導電体を設置することで、ショートバーの代わりにできて試験時の安全性も向上することができる。
【００２３】
板バネ１３は、ケース３内で、試験導電端子９に圧力を図１（ｂ）の下向き（保持部７とは反対向き）に加える。試験導電端子９は、装着されない側が端子ネジ１１で固定されている。そのため、板バネ１３による圧力は、装着される側に現れることとなる。
【００２４】
本実施例では、試験導電端子９は、弾性を有しない一枚の導電端子である。ケース内に組み込まれた板バネ１３により端子台の導電端子の向きに接触する圧力を持つ。試験導電端子９とは別の部材である板バネ１３により接触圧力を与えることにより、接触圧力を安定させることができる。
【００２５】
接触部１５は、試験治具１を端子台に装着したときに、端子台に接触する部分である。試験治具１は、端子台に掛止するため、装着時には掛止している部分を中心に回転する動きとなる。
【００２６】
試験時にかかる力は、水平方向と下向きが主である。水平方向には、保持部７が端子台の突部に掛止し、試験導電端子９が安定した接触圧力により端子台の導電端子に力をかけるために外れにくい構造である。さらに、下向きには、接触部１５が装着時に端子台に接触することにより図１（ｂ）において反時計まわりには動かないようにしており、外れにくい構造である。他方、取り外し時には、図１（ｂ）において時計回りに回転させて上向きに傾ければ、容易に取り外すことができる。
【００２７】
連結ネジ１７は、複数の試験治具を連結するためのネジである。端子台は、通常、複数が連結されている。そのため、試験治具も、連結ネジ用穴１９を利用して複数の試験治具を連結１７で連結することにより、連結された複数の端子台に同時に装着・取り外しができるようになっている。
【００２８】
本実施例は、一枚の試験導電端子９と板バネ１３を設ける構造であるため、部品点数が少なく、製造コストを安価にすることが可能である。試験導電端子９は、ケース内で自由に傾く構造であるが、装着時に、保持部７、試験導電端子９及び接触部１５により３箇所で保持するようにすることにより、試験時に力が掛かる水平方向及び下向きには外れにくく、上向きに傾けることで容易に取り外すことができるようにしている。
【００２９】
図２は、装着時の動きについて説明するための図である。図２（ａ）にあるように、試験治具１は、端子台２１に装着する。端子台２１は、ネジアップ式端子台である。端子台２１は、導電端子２３と、ネジ２５と、突部２７と、端子台側接触部２９を備える。
【００３０】
導電端子２３は、雌ネジを有し、ネジ２５により外部配線を接続することができる。図２では、ネジ２５をアップした状態で試験治具１を装着している。
【００３１】
突部２７は、アップしたネジを支えるために、導電端子２３の上方に設けられたものである。端子台２１において、導電端子２３に外部配線を接続するために設けられた開口部の上方に、壁面から突出した絶縁体のものである。一般に、両方の壁面から突出している。
【００３２】
端子台側接触部２９は、試験治具１が端子台２１に装着したときに、試験治具１の接触部１５に接触するために設けられたものである。
【００３３】
図２（ｂ）にあるように、装着時には、試験治具１の試験導電端子９を端子台２１の導電端子２３に押し付けて差し込み、ケース３を端子台２１に突き当て、押し付ける力を緩めれば、板バネ１３が試験導電端子９に圧力をかけていることから、試験治具１の保持部７は端子台２１の突部２７に掛止し、接触部１５が端子台側接触部２９に接触して、試験治具１は、端子台２１に保持される。このように、装着作業は、極めて容易である。
【００３４】
図３は、試験治具１を端子台２１に装着した状態を示す図である。試験治具１と端子台２１とは、３箇所で保持されている。試験治具１の保持部７は、端子台２７の突部２７に掛止している。試験治具１の試験導電端子９は、板バネ１３により、端子台２１の導電端子２３に圧接している。試験治具１の接触部１５は、端子台２１の端子台側接触部２９に接している。
【００３５】
図４は、取り外し時の動きについて説明するための図である。試験治具１を上向き（図の時計まわり）に傾けることにより、試験治具１は、保持部７が突部２５に掛止している部分を中心に回転し、試験導電端子９は、端子台の導電端子２３に押されて端子台２１から抜くことができ、容易に取り外すことができる。
【００３６】
図５は、本願発明に係る試験治具の構成の他の一例を示す図である。試験治具の試験導電端子の先端を、図５（ａ）にあるように、端子先端３３を設けた形状にすることにより、図５（ｂ）にあるように、セルフアップ式端子台でも使用することができる。
【符号の説明】
【００３７】
１  試験治具、３  ケース、５  カバー、７  保持部、９  試験導電端子、１１  端子ネジ、１３  板バネ、１５  接触部、１７  連結ネジ、１９  連結ネジ用穴、２１  端子台、２３  導電端子、２５  ネジ、２７  突部、２９  端子台側接触部、３１  試験治具、３３，３５  端子先端
【図１】
2016122527.tif 000003
【図２】
2016122527.tif 000004
【図３】
2016122527.tif 000005
【図４】
2016122527.tif 000006
【図５】
2016122527.tif 000007